(57)【要約】  本出願は、セキュリティ特徴を採取または採取する試みの際にセキュリティ特徴を変形させる採取防止要素を含むセキュリティ特徴を提供する。
2019531920.tif 000002
【特許請求の範囲】
【請求項１】
画像アイコン要素のアレイと、
画像アイコン集束要素のアレイと、を備えるセキュリティデバイスであって、
前記画像アイコン要素のアレイおよび前記画像アイコン集束要素のアレイは、前記画像アイコン要素のアレイが直接または前記画像アイコン要素のアレイを通して見られるときに、セキュリティデバイスが少なくとも１つの合成画像を投影するように、互いに対して配置され、
前記セキュリティデバイスは、前記セキュリティデバイスが第１の結合手段によって製品基板に、または第２の結合手段によってラベル基板に結合されるときに、採取防止温度が前記第１の結合手段または前記第２の結合手段の採取温度よりも低くなるように、選択された採取防止温度を有する、
セキュリティデバイス。
【請求項２】
セキュリティデバイスが熱攻撃にさらされたときにセキュリティデバイスの熱崩壊を引き起こすように、セキュリティデバイスと一体化された採取防止構成要素を含む、請求項１に記載のセキュリティデバイス。
【請求項３】
前記採取防止温度は、約６０℃〜約９０℃である、請求項１に記載のセキュリティデバイス。
【請求項４】
６０℃を超える熱攻撃にさらされたときに熱減衰の影響を受けやすい、請求項１に記載のセキュリティデバイス。
【請求項５】
８０℃〜１３０℃の熱攻撃にさらされたときに、熱減衰の影響を受けやすい、請求項１に記載のセキュリティデバイス。
【請求項６】
湿度が少なくとも９０％である場合に、６０℃を超える熱攻撃に曝されるときに熱減衰する、請求項１に記載のセキュリティデバイス。
【請求項７】
少なくとも１週間、６０℃を超える温度で熱攻撃にさらされた場合に熱崩壊の影響を受けやすい、請求項１に記載のセキュリティデバイス。
【請求項８】
７０℃を超える温度で少なくとも２４時間熱攻撃にさらされたときに、熱崩壊の影響を受けやすい、請求項１に記載のセキュリティデバイス。
【請求項９】
熱攻撃の５分以内に熱崩壊する、請求項１に記載のセキュリティデバイス。
【請求項１０】
前記採取防止構成要素は、少なくとも１つの画像アイコン要素のアレイと少なくとも１つの画像アイコン集束要素のアレイとの間に配置された光学スペーサとして統合され、
前記光学スペーサは採取防止温度を提供する、
請求項２に記載のセキュリティデバイス。
【請求項１１】
前記採取防止構成要素は、前記セキュリティデバイスの層間のインターフェースとして統合される、請求項２に記載のセキュリティデバイス。
【請求項１２】
前記採取防止構成要素が、前記セキュリティデバイスの単一層内または複数層にわたる粒子の分布として統合される、請求項２に記載のセキュリティデバイス。
【請求項１３】
前記粒子が熱伝導性である、請求項１２に記載のセキュリティデバイス。
【請求項１４】
前記粒子は形状が球形であるかまたは細長い繊維であり、
前記粒子は、銅、アルミニウム、真鍮、グラフェン、グラファイト、または銀材料のうちの少なくとも１つを含む、請求項１３に記載のセキュリティデバイス。
【請求項１５】
前記採取防止構成要素は、熱攻撃によって前記セキュリティデバイスと一体化された２つ以上の構成要素の相互作用から形成された反応生成物層または反応生成物界面を含む、請求項２に記載のセキュリティデバイス。
【請求項１６】
前記採取防止構成要素が熱成形材料を含む、請求項２に記載のセキュリティデバイス。
【請求項１７】
前記採取防止構成要素が、ＰＥＴＥ、ＰＥＴＧまたはＰＶＣのうちの少なくとも１つを含む、請求項２に記載のセキュリティデバイス。
【請求項１８】
前記採取防止構成要素は前記画像アイコン要素のアレイと前記画像アイコン集束要素のアレイとの間に配置されたスペーサ基板層であり、前記スペーサ基板層は、ＰＥＴＥ、ＰＥＴＧおよびＰＶＣのうちの少なくとも１つを含む、請求項２に記載のセキュリティデバイス。
【請求項１９】
ラベル基板と、
前記第２の結合手段によって前記ラベル基板に貼り付けられた請求項１に記載のセキュリティデバイスとを備える、セキュリティラベルであって、
前記セキュリティラベルは、前記セキュリティデバイスが前記第１の結合手段によって前記製品基板に結合されるとき、前記採取防止温度が前記第１の結合手段の採取温度よりも低くなるように、選択された採取防止温度を有する、
セキュリティラベル。
【請求項２０】
前記セキュリティラベルは、前記セキュリティラベルが熱攻撃にさらされたときに前記セキュリティラベルの熱崩壊を引き起こすように、前記セキュリティラベルと一体化された採取防止構成要素を含む、請求項１９に記載のセキュリティラベル。
【請求項２１】
前記採取防止構成要素は、前記画像アイコン要素のアレイと前記画像アイコン集束要素のアレイとの間に配置されたスペーサ基板である、請求項２０に記載のセキュリティラベル。
【請求項２２】
前記採取防止構成要素は、６０℃を超える熱攻撃にさらされたときに前記セキュリティラベルが熱崩壊しやすいように、前記セキュリティラベルと一体化されている、請求項２０に記載のセキュリティラベル。
【請求項２３】
前記採取防止構成要素が、ＰＥＴＧ、ＰＥＴＥまたはＰＶＣのうちの少なくとも１つを含む、請求項２０に記載のセキュリティラベル。
【請求項２４】
セキュリティデバイスが熱攻撃にさらされたときにセキュリティラベルの熱崩壊を引き起こすように、セキュリティラベルの一部として統合された採取防止構成要素を含む、請求項２０に記載のセキュリティラベル。
【請求項２５】
前記採取防止温度が約６０℃〜約９０℃である、請求項２０に記載のセキュリティラベル。
【請求項２６】
生成物基板と、
第１の結合手段によって製品基板に貼り付けられた請求項２に記載のセキュリティデバイス、または請求項２０に記載のセキュリティラベルと、
を備える製品。
【請求項２７】
セキュリティデバイスを製造する方法であって、
画像アイコン要素のアレイを提供することと、
画像アイコン集束要素のアレイを提供することと、
採取防止温度を有する少なくとも１つの採取防止構成要素を提供することと、
前記画像アイコン要素のアレイと前記画像アイコン集束要素のアレイとを結合して、少なくとも１つの合成画像を生成し、セキュリティデバイスが熱攻撃にさらされたときに熱減衰を受けやすいように、採取防止構成要素をセキュリティデバイスに統合すること、
を含む、セキュリティデバイスを製造する方法。
【請求項２８】
請求項４に記載の方法によってセキュリティデバイスを提供することと、
前記セキュリティデバイスをラベル基板に貼り付けることと、
を含む、セキュリティラベルの製造方法。
【請求項２９】
製品の認証のためのセキュリティラベルの使用であって、
前記セキュリティラベルは、ラベル基板と、第２の結合手段によって前記ラベル基板に貼り付けられたセキュリティデバイスとを含み、
前記セキュリティラベルは、第１の結合手段によって製品の製品基板に貼付される、
製品の認証のためのセキュリティラベルの使用。
【発明の詳細な説明】
【技術分野】
【０００１】
本出願は２０１６年８月１５日に出願された米国仮特許出願第６２／３７４，９６１号の優先権を主張し、その全体が参照により本明細書に組み込まれる。
【０００２】
本発明は一般に、それが取り付けられる製品を認証する際に使用するのに適した、またはそれが取り付けられる製品に審美的効果を適用するのに適した、セキュリティ特徴（ｓｅｃｕｒｉｔｙ  ｆｅａｔｕｒｅ）（例えば、セキュリティデバイスまたはセキュリティラベル）に関する。セキュリティ特徴は、偽造された他の製品に使用するためなど、再目的化のための本物製品からのセキュリティ特徴の採取を低減または防止する構成要素を含む。したがって、本発明は、採取防止可能なセキュリティ特徴を提供する。
【背景技術】
【０００３】
セキュリティデバイスはセキュリティ特徴として使用するために、セキュアドキュメント市場およびセキュア消費者製品市場に供給される。例えば、セキュリティデバイスは、セキュリティ文書または消費者製品または前記製品のための包装に直接貼付されるか、またはセキュリティラベルを形成するために使用され、セキュリティラベルは次に製品に貼付され得る。これらのセキュリティ特徴が市場において文書または製品に添付される場合、それらは一般に、製品のソースを認証するのに適切であり得る（本明細書で使用される場合、「製品」という用語は安全な文書および安全な製品を含むが、これらに限定されない）。これらのセキュリティ特徴は、複製するのが非常に困難な固有の静止および／または移動効果を生成するので、ソースアイデンティティおよび真正性を提供することができる。したがって、製品消費者は自分が使用している／購入している製品が真正であり、偽造されていないという確認として、これらの添付されたセキュリティ特徴の存在に依存することができる。したがって、これらのセキュリティ特徴は偽造防止セキュリティ特徴として機能するが、代替的または追加的に、それらが取り付けられる製品に特定の美的効果を付与するために使用されてもよい。
【０００４】
皮肉なことに、偽造防止セキュリティ特徴としてのセキュリティデバイスの有効性に一部起因するいくつかのセキュリティ特徴は、「採取（ｈａｒｖｅｓｔｉｎｇ）」を目標としている。本明細書で使用されるように、「採取」は関連する真正製品から貼付されたセキュリティ特徴またはその一部を抽出し、続いて、抽出されたセキュリティ特徴を偽造製品に貼付することを指す。
【０００５】
偽造者はセキュリティ特徴を除去するために、様々な採取技術を使用する。ほとんどの場合、すべてではないが、偽造者の目的は偽造された製品に貼り付けられるのと実質的に同じ方法で偽造された製品に貼り付けられることができるように、本物製品からセキュリティ特徴を取り除くことである。言い換えれば、偽造者にとって最も有益なのは、セキュリティ特徴がその機能に損傷や変形を与えずに採取でき、消費者が真正製品と偽造製品との区別を認識することなく、偽造製品に適用できる場合である。
【０００６】
偽造者によって採用される多数の採取技術の中で、熱採取は非常に一般的であるが、網羅的ではない。本明細書で使用されるように、用語「熱採取（ｔｈｅｒｍａｌ  ｈａｒｖｅｓｔｉｎｇ）」はセキュリティ特徴を製品に取り付けるために使用される結合手段または要素の強度を弱めるために、セキュリティ特徴に熱を加えることを指す。例えば、製品にラベルを貼り付けるために使用される接着剤の強度を弱めるためにセキュリティラベルに、またはラベル基板または製品にセキュリティデバイスを貼り付けるために使用される接着剤の強度を弱めるためにセキュリティデバイスに熱を加えることができる。熱採取は例えば、ヒートガン、ホットプレート、または類似の手段などによって熱を加えることによって、セキュリティデバイスまたはラベルをその関連する真正製品から抽出することによって達成することができる。再び、セキュリティデバイスの効率性は、偽造者によるそのような目標設定の動機付けとして役立つ。すなわち、セキュリティデバイスは、結合手段と比較して、非常に比較的熱に敏感でない。対照的に、セキュリティデバイスをラベル基板に、またはラベルを製品に貼り付けるために使用される接着剤は、比較的非常に熱感受性が高い。セキュリティデバイスまたはラベルにおける比較的高い熱非感受性と、接着剤における比較的高い熱感受性とのこの組み合わせは、偽造者が例えば、接着剤を弱め、ラベルまたはセキュリティデバイスを関連製品から剥離または剥離することによって、セキュリティデバイスまたはラベルを容易に採取することを可能にする。ラベルまたはデバイスに熱を加えると、接着剤の接着強度が低下し、それによって、セキュリティラベルまたはデバイスを、そのままの真正製品から、または少なくとも偽造製品に貼付するのに適した形態で、容易に取り外すことができる。
【発明の概要】
【発明が解決しようとする課題】
【０００７】
したがって、従来、採取に耐性がある一方で、製品を認証するため、または製品に美的効果を付加するために使用することができるセキュリティ特徴（例えば、セキュリティデバイスまたはセキュリティラベル）に対する必要性が存在していた。
【課題を解決するための手段】
【０００８】
困難な実験および高水準の専門知識を通じて、出願人は上述の問題に対する解決策を発明し、本明細書において、発明された解決策に関する特許出願の付与の要件に準拠する前記解決策を開示する。いくつかの実施形態が本明細書に開示されているが、これらの実施形態は本発明の範囲および本明細書で求められる特許請求の範囲を限定することを意図していない。これらの実施形態は当業者が出願人が発明としてクレームしているものを理解し、当業者が過度の実験を必要とせずにクレームされた発明を実施することができるように提示される。
【図面の簡単な説明】
【０００９】
【図１】本発明のセキュリティデバイスの一実施形態の断面図であり、採取防止構成要素は、光学スペーサまたは接着層のいずれかとして一体化されている。
【図２】図２はセキュリティデバイスの別の実施形態の断面図であり、採取防止構成要素は、光学スペーサ層内に分布する任意選択でコーティングされた粒子である。
【図３】図３はセキュリティデバイスのさらに別の実施形態の断面図であり、採取防止構成要素は、光学スペーサと画像アイコン要素層との間の反応生成物層または界面を形成する。
【発明を実施するための形態】
【００１０】
本明細書で使用する「採取防止温度」は、セキュリティ特徴がそのような温度にさらされたときに、観察可能に変形する温度および／またはそれ以上の温度を指す。
【００１１】
本明細書で使用される「採取防止構成要素」はそれが取り付けられる特徴または製品が採取防止温度を超える温度にさらされるときに、セキュリティ特徴の変形の原因となる、セキュリティ特徴の構成要素を指す。
【００１２】
本明細書で使用される「第１の結合手段」または「結合の第１手段」は、セキュリティデバイスを製品基板に結合する手段を指すものとする。
【００１３】
「採取温度」は、本明細書中で使用される場合、結合手段の容量における温度および／またはそれを超える温度を指すセキュリティデバイスをラベル基板または製品基板に結合すること、またはセキュリティラベルを製品基板に結合することは、セキュリティデバイス、ラベル、またはセキュリティデバイスまたはセキュリティラベルが貼付された製品がそのような温度にさらされたときに劣化する。
【００１４】
本明細書で使用される「第２の結合手段」または「結合の第２手段」は、セキュリティデバイスをラベル基板に結合する手段、またはセキュリティデバイスを製品基板に間接的に結合する手段を指すものとする。
【００１５】
本明細書で使用される「セキュリティ特徴」は、セキュリティデバイスを別個にまたはセキュリティデバイスを含むセキュリティラベルのいずれかを指すものとする。
【００１６】
本発明の一態様は製品（例えば、セキュリティ文書またはセキュリティ製品）に審美的特徴を認証または追加するためのセキュリティ特徴(security feature)を提供する。セキュリティ特徴はセキュリティ特徴が少なくとも１つの結合手段によって製品基板に結合されるとき、採取防止温度が結合手段のうちの少なくとも１つの採取温度よりも低くなるように、選択された採取防止温度を有することを特徴とする。本明細書で使用される結合手段はセキュリティデバイスの構成要素をラベル基板または製品基板にインターロック、貼付、または他の方法で取り付けるように、またはセキュリティラベルを製品基板にインターロック、貼付、または他の方法で取り付けるように機能する構造的特徴を指す。本明細書で使用される結合手段は、接着剤、機械的インターロック、インターフェースされた構成要素間の化学反応、およびそれらの等価物のうちの少なくとも１つなどの１つまたは複数の構造的特徴を含むものとする。
【００１７】
一実施形態では、セキュリティ特徴は画像アイコン要素のアレイと画像アイコン集束要素のアレイとを含むセキュリティデバイスである。このデバイスはセキュリティデバイスが第１の結合手段によって製品基板に、または第２の結合手段によってラベル基板に結合されるとき、採取防止温度が第１のおよび／または第２の結合手段の採取温度より低いように、選択された採取防止温度を有することを特徴とする。あるいは、デバイスが第１の結合手段または要素によって製品基板に結合されるか、または第２の結合手段または要素によってラベル基板に結合される。画像アイコン要素のアレイおよび画像アイコンフォーカシング要素のアレイは画像アイコン要素のアレイが直接または画像アイコンフォーカシング要素のアレイを通して見られるときに、セキュリティデバイスが少なくとも１つの合成画像を投影するように、互いに対して配置される。
【００１８】
一実施形態では、結合手段または結合要素が機械的相互作用または化学的相互作用のうちの少なくとも１つを提供して、セキュリティ特徴またはセキュリティ特徴の構成要素の製品基板への固定、あるいは一緒のロックまたは積層を提供するように選択される。一実施形態では、第１の結合手段は接着剤である。第１の結合手段接着剤は、他の任意の結合手段と同じであっても異なっていてもよい。第１または第２の結合手段としての使用に適した接着剤としては感圧接着剤、ホットメルト、ヒートシール等が挙げられるが、これらに限定されない。
【００１９】
一実施形態では、採取防止温度は原因のあるもの（ａｔｔｒｉｂｕｔａｂｌｅ）であり、したがって、セキュリティ特徴の少なくとも１つの採取防止構成要素または構成要素のセットの存在によって決定される。好ましい実施形態では、採取防止構成要素がセキュリティデバイスの円周境界内にあるように、またはセキュリティデバイスの少なくとも１つの円周境界を形成するように、セキュリティデバイスと一体化される。そのようなものとして、採取防止構成要素はセキュリティデバイスの露出層であってもよく、またはセキュリティデバイスの層の間に挿入されて、それ自体の別個の層を形成し、複数の層の間に界面を形成することができる。意図される採取防止構成要素は、少なくとも１つの結合手段／要素が採取技術にどのように反応するかとは異なる特定の採取技術のストレスに反応するセキュリティ特徴の構成要素である。特定の実施形態では、採取防止構成要素がセキュリティフィーチャの層、セキュリティフィーチャの層間のインターフェース、またはセキュリティフィーチャの層の一部、またはそれらの組合せを含む。また、本明細書では、採取防止温度を超える温度にさらされたときに、セキュリティフィーチャの変形を担う採取防止構成要素がランダムにまたは均一に、層の間または層を横切って、またはセキュリティフィーチャの界面の間、またはそれらの組み合わせに分布した粒子の形態であってもよいことが企図される。採取防止構成要素が粒子の形態であるさらなる実施形態では、このような粒子が分散液またはエマルジョンとしてセキュリティフィーチャの形成に適用される。粒子のサイズおよび濃度は、１つ以上の合成画像の形成および投影を妨害してはならない。粒子サイズに関しては、粒子のサイズがサブミクロン範囲にあることが好ましい。濃度に関しては、粒子の濃度が画像アイコン集束要素の下または上の任意の断面積の約１２％未満（より好ましくは約２〜約８％）を占めることが好ましい。
【００２０】
また、採取防止構成要素が反応生成物層または界面を形成し、それによって、熱攻撃に応答して、隣接する層または隣接する層の構成要素が反応して別個の層または界面を形成し、この層または界面が熱攻撃を受けやすく、熱崩壊を生じることも本発明の範囲内で企図される。採取防止構成要素は、セキュリティデバイスの構成要素として統合され、セキュリティデバイスが熱攻撃にさらされると、熱崩壊を引き起こす。本明細書中で使用される場合、熱攻撃は、熱崩壊をもたらす採取防止温度より高い採取温度への曝露を指す。同様に、熱減衰は構造的破損（すなわち、デバイスまたはラベルの構造がその元のサイズを超えて収縮または拡張することなどによって、破損または歪められる場合）を含むか、または熱減衰はセキュリティデバイスの光学的破損であり得、それにより、セキュリティデバイスの合成画像は、合成画像のうちの少なくとも１つを焦点から外すこと、合成画像の数を減少させること、合成画像の色、サイズまたは形状を変更すること、または１つ以上の合成画像を消失させることによって、歪められるか、または破壊される。
【００２１】
セキュリティ特徴がセキュリティデバイスである実施形態では、採取防止温度がセキュリティデバイスの採取防止構成要素によって決定される。１つ以上の結合手段が、層の形態の採取防止構成要素としても機能し得ることも企図される。適切な層状または積層された採取防止構成要素はデバイスの層であり、そのような層は、不可逆的に膨張、収縮、溶融、暗色または不透明になるか、または何らかの形で採取防止温度以上で変形または劣化して、セキュリティデバイスもはや見えなくなるか、または不明瞭になることによって熱崩壊する材料を含む。典型的には、この材料がデバイスの連続層を含むか、またはデバイスの層を含むマトリックスに分布した粒子として含む。１つの特定の例示的な実施形態では、採取防止構成要素が採取防止温度より高い温度に曝露されると収縮するポリマー材料である。例えば、一実施形態では、採取防止構成要素が熱収縮フィルム（例えば、２ミル（５０ミクロン）の熱収縮フィルム）である。別のそのような実施形態では、採取防止構成要素が材料を加熱して所望の形状に膨張させ、その後の加熱が収縮、好ましくは非エラストマー収縮を引き起こすように材料を急速に冷却することによって形成される熱成形材料である。本明細書で使用する「非エラストマー収縮」という用語は、材料が冷却時に元の膨張状態に戻らないことを意味する。非エラストマー収縮は崩壊が予測しにくくなり、したがって採取しにくくなるので、改善された熱崩壊をもたらすことが見出された。図１に示され、参照番号１０で示されるセキュリティ特徴の一実施形態では、アンチ採取構成要素が光学スペーサ１２がアンチ採取温度を提供するように、画像アイコン要素１４の少なくとも１つのアレイと画像アイコン集束要素１６の少なくとも１つのアレイとの間に配置される光学スペーサ１２として統合される。この実施形態では、採取防止構成要素が光学スペーサ１２自体、および／または任意選択でこの層上または層内に分布する被覆粒子１８（例えば、熱伝導性粒子または熱伝導性材料で被覆された粒子）のいずれかを含むことができる（図２参照）。より一般的に言えば、採取防止構成要素は、好ましくは画像アイコン要素アレイと画像アイコン集束要素アレイとの間に配置される基板層であり得、熱成形材料、オハイオ州、米国のLaird Plasticsから入手可能なポリエチレンテレフタレートグリコール（ＰＥＴＧ）、ポリエチレンテレフタレート（ＰＥＴまたはＰＥＴＥ）、および／またはポリ塩化ビニル（ＰＶＣ）から構成されるか、あるいはそれらの任意の１つまたは組合せでコーティングされる。また、採取防止構成要素は、接着層２０及び／又はこの層上又は層内に分布する任意選択でコーティングされた粒子（図示せず）を含むことができる。採取防止構成要素が粒子としてセキュリティ特徴と一体化される場合、様々な粒子が適切と考えられる。しかしながら、そのような材料が熱減衰開始のための所望の位置への熱伝達を増加させるので、高い熱伝導率を有する粒子を含むのが最も適切であることが見出されている。例えば、任意の丸い形状（例えば、円形、球形、楕円形）、円筒形状（例えば、細長い繊維）、不規則形状、ランダム形状などを含む任意の適切な形状を有する粒子が企図さ���、銅、アルミニウム、真鍮、グラフェン、グラファイト、または銀材料のうちの少なくとも１つを含む粒子が最も適している。さらなる実施形態では、採取防止構成要素が粒子である場合、熱成形材料の少なくとも１つを含む粒子が好ましいと考えられる。さらに、ＰＥＴＧ、ＰＥＴまたはＰＥＴＥ、およびＰＶＣのうちの少なくとも１つを含む粒子も考えられる。
【００２２】
セキュリティ特徴の実施形態では、採取防止温度がセキュリティデバイスまたはセキュリティラベルと一体化された採取防止構成要素によって決定される。一実施形態では、採取防止構成要素がセキュリティデバイスの層間、セキュリティフィーチャの層間、またはセキュリティフィーチャとセキュア製品との間のインターフェースであるか、またはインターフェースを形成する。また、１つ以上の結合手段が、インターフェース内の採取防止構成要素としても機能し得ることが企図される。例えば、採取防止構成要素はデバイスのインターフェースであり、そのインターフェースは不可逆的に膨張し、収縮し、溶融し、暗く若しくは不透明に変化し、又は何らかの形で採取防止温度以上でインターフェースを変形若しくは劣化させ、セキュリティデバイスもはや見えなくなり、又は不明瞭になる材料を含む。網羅的ではないが、図３に示されるような一実施形態では採取防止構成要素が反応生成物層または界面２２を形成し、それによって、熱攻撃に応答して、隣接する層または隣接する層の構成要素が反応して、熱攻撃を受けやすい別個の層または界面２２を形成し、熱崩壊を生じる。例えば、一実施形態では、界面が採取の試みの前に、または化学反応が熱攻撃によって触媒される採取の試みのために、界面を生成するために、２つの層の化学的または機械的相互作用によって生成される。このような一実施形態では界面がシステムが熱に曝露されるが、温度が採取防止温度に達する前に形成される。採取温度以上でのその後の曝露は、システムの構造的または光学的故障を引き起こす。好ましくは、熱攻撃が第１段階で生成物反応物層または界面が形成され、その後の熱攻撃の適用が生成物反応物層または界面の熱崩壊を引き起こす２段階で起こる。界面材料は、セキュリティフィーチャの連続層または不連続層を含む。１つの特定の例示的実施形態では、採取防止構成要素はポリマー材料であり、採取防止温度より高い温度に曝露されると界面を収縮させる。
【００２３】
セキュリティ特徴がセキュリティラベルの一部である実施形態では、採取防止温度が直前の段落で説明したように、セキュリティデバイスの採取防止構成要素によって決定される。さらなる実施形態では、採取防止温度が代替的にまたは追加的に、セキュリティデバイスに存在しないラベルの採取防止構成要素によって決定される。セキュリティラベルの適切な採取防止構成要素は例えば、セキュリティデバイスについて上述したもの、または追加的にもしくは代替的に、セキュリティラベルの層、セキュリティラベルのインターフェース、またはセキュリティラベル全体にわたって分布する粒子を含む。
【００２４】
一実施形態では、採取防止構成要素が熱攻撃、機械的採取、化学的採取、または別の形態のいずれかによる採取の応力にさらされると、それ自体、またはセキュリティ特徴を変形させるのであろう。材料は、一時的または永久的に変形する。好ましい実施形態では、変形は永久的であり、セキュリティ特徴またはラベルが不可逆的に膨張、収縮、融解、または暗色もしくは不透明に変化するか、あるいは熱的に崩壊する。
【００２５】
本明細書で使用されるように、セキュリティデバイスは、画像アイコン要素のアレイと、画像アイコン集束要素のアレイとを含む。適切な画像アイコン要素および画像アイコン焦点要素は、米国特許第７，３３３，２６８号、米国特許第７，４６８，８４２号、米国特許第７，７３８，１７５号、米国特許第８，７７３，７６３号、米国特許第８，８６７，１３４号、米国特許第８，２８４，４９２号、米国特許第８，７３９，７１１号、米国特許第８，７５５，１２１号、国際特許出願公開ＷＯ２０１３／０２８５３４号、国際特許出願公開ＷＯ２０１４／０２８０３１、国際特許出願公開ＷＯ２０１３／１１２７９６、国際特許出願公開ＷＯ２０１４／０３９１６、国際特許出願公開ＷＯ２０１５／０３４１、国際特許出願公開ＷＯ１７５／１７７５５、国際特許出願公開ＷＯ２０１５／０６９５５、および国際特許出願公開ＷＯ２００５／０６６５１号に記載されている。
【００２６】
一実施形態では、画像アイコン要素のアレイおよび画像アイコン集束要素のアレイが合成画像を形成するように互いに対して配向される。本明細書で使用するとき、「合成画像」は、集束要素の拡大および合成効果によって生成される画像を指す。個々の集束要素は、画像アイコン要素のアレイ内に存在する微小画像またはその一部を拡大または拡大するように協働する。焦点合わせ要素はまた、拡大されたマイクロイメージまたはその一部を合成された拡大されたイメージに合成するように協働する。好ましい実施形態では微小画像またはその一部が人間の肉眼では観察できないが、集束素子による拡大によって観察することができる。さらに、合成画像は人間の肉眼では観察できないことが好ましいが、拡大された微小画像またはその一部を構成する個々の焦点合わせ要素の協働によって、少なくとも１つの合成画像（すなわち、拡大された画像と合成画像）に観察可能にされる。合成画像（複数可）はマイクロ画像が異なる角度または視点で集束要素を通して見られるときに、静止しているように見えるか、または動き効果を有するように見える。例えば、セキュリティデバイスを軸を中心に傾けることにより、合成画像（単数または複数）が形態、形状、サイズ、色、深さ（すなわち、セキュリティデバイスの面内、面上または面下）、またはそれらの任意の組合せを変化させることができる。
【００２７】
本発明の別の態様は、ラベル基板およびセキュリティデバイスを含むセキュリティラベルの形態のセキュリティ特徴を提供する。セキュリティデバイスは上述の通りであり、第２の結合手段／要素によってラベル基板に貼り付けられる。本明細書で使用されるように、語句「第２の結合手段」における用語「第２の」は、結合手段のシーケンスにおける第２のものを示すことを意図されず、むしろ、他の結合手段に対するいかなるシーケンシャルな順序にもかかわらず、別個の識別子として意図される。セキュリティラベルは第１の結合手段によって製品基板に結合されたときに、採取防止温度が第１の結合手段の採取温度よりも低くなるように、選択された採取防止温度を有する。本明細書で使用されるように、語句「第１の結合手段」における用語「第１の」は、結合手段のシーケンスにおいて最初に示すことを意図されず、むしろ、他の結合手段に対するいかなるシーケンシャルな順序にもかかわらず、別個の識別子として意図される。セキュリティラベルはセキュリティデバイス、セキュリティラベルの別の構成要素（例えば、ラベル基板）、またはその両方に存在する採取防止構成要素(ａｎｔｉ−ｈａｒｖｅｓｔｉｎｇ  ｃｏｍｐｏｎｅｎｔ)を含む。適切な採取防止構成要素は、セキュリティラベルの単一または複数の層またはインターフェース上に分散された層、インターフェースまたは粒子を含む。セキュリティラベルに適した採取防止構成要素は、上記のものである。
【００２８】
一実施形態では、適切なラベルが紙および／またはポリマー基板を含む。紙基板は、１つ以上のセルロース層を含んでもよい。これらおよび他の標識は、当業者に明らかである。
【００２９】
本発明の別の態様は、製品基板と、本明細書に記載されるような、そこに固定されたセキュリティ特徴とを含む製品を提供する。一実施形態では、セキュリティ特徴が製品に直接または間接的に取り付けられたセキュリティデバイスである。セキュリティデバイスは、第１の結合手段によって製品基板に直接固定されるか、または製品基板に間接的に固定される。セキュリティデバイスが製品基板に間接的に取り付けられる場合、様々な手段が考えられる。しかし、セキュリティデバイスが製品基板に間接的に貼り付けられる場合、セキュリティデバイスは少なくとも第２の結合手段によってラベルのラベル基板に貼り付けられ、ラベルは第１の結合手段によって製品基板に貼り付けられることが好ましい。固定された製品は、第１の結合手段、第２の結合手段、または両方の採取温度よりも低い選択された採取防止温度を有する。セキュアな製品はセキュリティデバイス、セキュリティラベルの別の構成要素（例えば、ラベル基板）、またはその両方に存在する、採取防止構成要素を含む。
【００３０】
一実施形態では適切な製品が電子デバイス、衣服および他の衣服、医薬品、ならびに様々な家庭用および消費者用製品を含むが、これらに限定されない。これらは、電話、コンピュータ、カメラなどのポータブルデバイスを含む。練り歯磨き、シャンプー、ローション等の容器のようなパーソナルケア製品。他の製品は、当業者には明らかであろう。
【００３１】
一実施形態では、適切な製品基板が層状または積層形態のポリマーまたはセルロース材料を含む。
【００３２】
本発明の別の態様は、セキュリティデバイス、セキュリティラベル、およびセキュリティ保護された製品を製造する方法を提供する。セキュリティデバイスを作製する一実施形態は、画像アイコン要素のアレイを提供するステップと、画像アイコン集束要素のアレイを提供するステップとを含む。画像アイコン要素および画像アイコンフォーカシング要素は、任意選択で動き効果を有する少なくとも１つの合成画像を提供するように結合される。この方法は、採取防止構成要素を提供するステップと、採取防止構成要素をセキュリティ特徴に統合するステップとをさらに含む。採取防止構成要素の組み込みは、採取防止構成要素を使用してセキュリティ特徴（例えば、光学スペーサー）の層を形成し、セキュリティ特徴の層の間に採取防止構成要素の層を積層することによって行うことができる。あるいは、セキュリティ特徴の層が採取の試みの適用前、または採取の試みに応答して、インターフェースを形成する要素を含む。別の代替例では、採取防止構成要素が単一層または界面にわたって分布した粒子の形態であるか、または複数の層または界面にわたって分布した粒子の形態である。
【００３３】
セキュリティラベルを作成する方法の一実施形態は、（１）本明細書に記載のセキュリティデバイスおよびラベル基板を提供するステップと、（２）任意選択で本明細書に記載の第２の結合手段を用いてセキュリティデバイスをラベル基板に貼り付けるステップとを含む。
【００３４】
安全な製品を作製する方法の一実施形態は、（１）本明細書に記載されるセキュリティデバイス、または本明細書に記載されるセキュリティラベルを提供するステップと、（２）製品基板を有する製品を提供するステップと、（３）セキュリティデバイスを製品基板に貼付するステップ、またはセキュリティラベルを製品基板に貼付するステップとを含む。セキュリティデバイスが生成物基板に固定される場合、本明細書に記載されるような第１の結合手段が適用され得る。しかし、セキュリティデバイスが製品基板に間接的に取り付けられる場合、セキュリティデバイスはセキュリティラベルを形成するラベル基板に結合手段によって取り付けられてもよく、ラベル基板は別の結合手段によって製品基板に固定される。
【００３５】
本発明の別の態様は、偽造防止機能として、本明細書に記載されるようなセキュリティデバイスまたはセキュリティラベルの使用を提供する。特に、提供されるのは製品の認証のためのセキュリティラベルの使用であり、セキュリティラベルはラベル基板と、第２の結合手段によってラベル基板に貼り付けられたセキュリティデバイスとを含み、セキュリティラベルは第１の結合手段によって製品の製品基板に貼り付けられて、安全な製品を形成する。安全な製品は、採取の障害となる。特に、特定の実施形態では、保護された製品がセキュリティラベルのセキュリティデバイスの熱採取を防止する。したがって、セキュリティ特徴（デバイスまたはラベル）は、セキュリティデバイスまたはセキュリティラベルに組み込まれた採取防止構成要素によって提供される採取防止温度(anti-harvesting temperature)を有する。これは、セキュリティデバイスまたはセキュリティラベルが真正製品から除去され、偽造製品に貼付される可能性が低いので、セキュリティ製品の真正性を改善する。
【００３６】
出願人は驚くべきことに、少なくとも１つの採取防止構成要素を本明細書に記載のセキュリティ特徴に組み込むことによって、採取の実践を妨し、低減し、抑制し、または役に立たなくすることによって、採取を軽減することができることを見出した。様々な採取技術が本発明によって企図されるが、一実施形態ではセキュリティ特徴が熱採取を軽減する採取防止構成要素を含む。採取防止構成要素が少なくとも熱採取に対して緩和する実施形態では、採取防止構成要素がセキュリティ特徴の採取温度よりも低い採取防止温度を提供する。
【００３７】
採取防止構成要素は本発明の様々な態様および実施形態および本開示で使用されるように、採取などの不正変更の試みを受けたときに、セキュリティ特徴を変形させる。例えば、製品からセキュリティ特徴を採取しようとする試みは、セキュリティデバイスの不透明度の変化、またはセキュリティ特徴の色または形状の変化のうちの少なくとも１つによって変形を引き起こす。さらに、セキュリティデバイスが画像アイコンフォーカシング要素または画像アイコン要素を含む一実施形態では、改ざんはアイコンフォーカシング要素の焦点距離が変化するようにセキュリティ特徴を変形させる。焦点距離の変化は、アイコン集束要素の焦点の破壊または障害をもたらし得る。また、本発明の範囲内で、動き効果または合成画像のようなセキュリティ特徴によって生成される効果が、動き効果または合成画像の破壊または損傷によって変形されることも考えられる。同様に、本明細書では、セキュリティ特徴が少なくとも１つの一見静止した画像を表示し、セキュリティ特徴が改ざんされたときに一見静止した画像が変形するようにすることも考えられる。
【００３８】
熱採取は、セキュリティ特徴の形状、テクスチャ、色、トポグラフィ、不透明度、焦点、動き効果、または合成画像の変化に現れる少なくとも１つの変形をもたらすことができる。形状の変化は、セキュリティ特徴上の気泡または粗いパッチの出現を含む。本出願人は特定の採取防止構成要素により、これらの変形が容易に識別可能であり、それによって、採取されたセキュリティ特徴が偽造製品を誤って識別するために使用され得る可能性を低減することを見出した。これらの変形は容易に観察できる。このメカニズムによって、本発明は、熱採取などの採取が採取活動中にセキュリティ特徴に生じる変形に部分的に起因して軽減されるセキュリティ特徴を提供する。一実施形態では、変形が少なくとも部分的に、セキュリティ特徴の少なくとも１つの結合手段の採取温度よりも低い採取防止温度を与える採取防止構成要素の存在に起因する。
【００３９】
セキュリティ特徴は採取防止温度以上で変形するが、温度が７５℃まで、または８５℃まで変動し得るセキュリティ製品の通常の加工を通して、セキュリティ特徴は無傷のままであり、変形しないことがいくらか重要である。したがって、一実施形態では、本発明が採取防止構成要素を有するセキュリティ特徴を含み、採取防止温度は通常の処理温度より高い。本明細書中で使用される場合、用語「正常な処理」は、採取技術を除く、製品の意図されたライフサイクルのために一般に使用される生産、輸送、貯蔵または循環プロセスを指す。一実施形態では、採取防止温度が６０℃超、７０℃超、７５℃超、８５℃超である。一実施形態では、セキュリティ特徴が６０℃で９０％の湿度にさらされても生き残る。別の実施形態では、セキュリティ特徴が７０℃で２４時間まで、または６０℃で１週間まで生存する。一実施形態では、セキュリティ特徴が８５℃以上の採取温度に到達してから５分、４分、３分、２分、１分、４５秒、３０秒、１５秒、１０秒、５秒、または１秒以内、または５分未満の全てのサブレンジ内で熱減衰する。別の実施形態では、セキュリティ特徴が６０℃を超える、８０℃と１３０℃の間、または８０℃と９０℃の間の熱攻撃にさらされると熱崩壊する。一実施形態では、セキュリティデバイスが８０℃と１３０℃との間の熱攻撃に曝された場合に熱崩壊を受けやすく、湿度が少なくとも９０％である場合に６０℃を超える熱攻撃に曝され、６０℃を超える熱攻撃に少なくとも１週間曝され、７０℃を超える熱攻撃に少なくとも２４時間曝される。好ましくは、セキュリティフィーチャの熱減衰の開始が熱攻撃の５分、４分、３分、２分、１分、４５秒、３０秒、１５秒、１０秒、５秒または１秒以内であり、または熱減衰は５分以内に完了する。
【００４０】
さらなる実施形態では、採取温度が８５℃より高い、９０℃より高い、９５℃より高い、または１００℃より高い。採取防止構成要素は採取防止温度が採取温度未満であるように、１００℃、９５℃、９０℃、または８５℃未満の採取防止温度を提供する。セキュリティ特徴が採取防止温度より高い温度にさらされると、形状、テクスチャ、色、トポグラフィ、焦点、動き効果、またはセキュリティ特徴の合成画像のうちの少なくとも１つとして反映されるセキュリティ特徴の変形が生じる。
【００４１】
一実施形態では、セキュリティ特徴が６０℃から１００℃の間の範囲の採取防止温度、または７５℃から８５℃の間の範囲の任意の範囲の採取防止温度を提供する採取防止構成要素を含む。
【図１】
2019531920.tif 000003
【図２】
2019531920.tif 000004
【図３】
2019531920.tif 000005
【手続補正書】
【提出日】平成31年4月2日(2019.4.2)
【手続補正１】
【補正対象書類名】特許請求の範囲
【補正対象項目名】全文
【補正方法】変更
【補正の内容】
【特許請求の範囲】
【請求項１】
画像アイコン要素のアレイと、
画像アイコン集束要素のアレイと、を備えるセキュリティデバイスであって、
前記画像アイコン要素のアレイおよび前記画像アイコン集束要素のアレイは、前記画像アイコン要素のアレイが直接または前記画像アイコン要素のアレイを通して見られるときに、セキュリティデバイスが合成画像を投影するように、互いに対して配置され、
前記セキュリティデバイスは、前記セキュリティデバイスが第１の結合手段によって製品基板に、または第２の結合手段によってラベル基板に結合されるときに、採取防止温度が前記第１の結合手段または前記第２の結合手段の採取温度よりも低くなるように、選択された採取防止温度を有する、
前記セキュリティデバイスは採取防止温度以上の温度にさらされると熱崩壊し、該採取防止温度は、前記セキュリティデバイスと基板との間の結合の採取温度よりも低い、
セキュリティデバイス。
【請求項２】
前記セキュリティデバイスと一体化された採取防止構成要素を備え、前記採取防止構成要素は、前記セキュリティデバイスが前記採取防止温度以上の温度にさらされるときに熱崩壊する、請求項１に記載のセキュリティデバイス。
【請求項３】
前記採取防止温度は、約６０℃〜約９０℃である、請求項１に記載のセキュリティデバイス。
【請求項４】
６０℃を超える温度にさらされたときに熱的に崩壊する、請求項１に記載のセキュリティデバイス。
【請求項５】
８０℃〜１３０℃の温度にさらされたときに熱的に崩壊する、請求項１に記載のセキュリティデバイス。
【請求項６】
６０℃を超える温度および少なくとも９０％の湿度にさらされたときに熱的に崩壊する、請求項１に記載のセキュリティデバイス。
【請求項７】
６０℃を超える温度に少なくとも１週間暴露されたときに熱的に崩壊する、請求項１に記載のセキュリティデバイス。
【請求項８】
７０℃を超える温度に少なくとも２４時間さらされたときに熱崩壊する、請求項１に記載のセキュリティデバイス。
【請求項９】
前記採取防止温度以上の温度にさらされてから５分以内に熱崩壊する、請求項１に記載のセキュリティデバイス。
【請求項１０】
光学スペーサをさらに含み、前記光学スペーサが前記採取防止構成要素を含む、請求項２に記載のセキュリティデバイス。
【請求項１１】
前記採取防止構成要素は、前記セキュリティデバイスの層間のインターフェースを含む、請求項２に記載のセキュリティデバイス。
【請求項１２】
前記採取防止構成要素が、前記セキュリティデバイス内の粒子の分布として統合される、請求項２に記載のセキュリティデバイス。
【請求項１３】
前記分布の粒子が熱伝導性である、請求項１２に記載のセキュリティデバイス。
【請求項１４】
前記粒子は形状が球形であるかまたは細長い繊維である、
請求項１３に記載のセキュリティデバイス。
【請求項１５】
前記採取防止構成要素は、前記セキュリティデバイスが前記採取防止温度以上の温度にさらされることに応答して、前記セキュリティデバイスの２つ以上の構成要素の化学的または機械的相互作用から形成される反応生成物層または反応生成物界面のうちの１つ以上を含む、請求項２に記載のセキュリティデバイス。
【請求項１６】
前記採取防止構成要素が熱成形材料を含む、請求項２に記載のセキュリティデバイス。
【請求項１７】
前記採取防止構成要素が、ポリエチレンテレフタレート（ＰＥＴＥ）、ポリエチレンテレフタレートグリコール（ＰＥＴＧ）、またはポリ塩化ビニル（ＰＶＣ）のうちの１つ以上を含む、請求項２に記載のセキュリティデバイス。
【請求項１８】
前記採取防止構成要素は光学スペーサであり、前記光学スペーサは、ＰＥＴＥ、ＰＥＴＧ、およびＰＶＣのうちの１つ以上を含む、請求項２に記載のセキュリティデバイス。
【請求項１９】
ラベル基板と、
第１の結合によって製品基板に貼り付けられたセキュリティデバイスであって、前記製品基板は第２の結合によって前記ラベル基板に貼り付けられた、セキュリティデバイスと、を備えるセキュリティラベルであって、
前記セキュリティラベルは、採取防止温度以上の温度にさらされると熱崩壊し、
採取防止温度は、第１のカップリングの採取温度よりも低い、
セキュリティラベル。
【請求項２０】
前記セキュリティラベルは、前記セキュリティラベルと一体化された採取防止構成要素を含み、前記採取防止構成要素は、前記セキュリティラベルが前記採取防止温度以上の温度にさらされたときに熱崩壊する、請求項１９に記載のセキュリティラベル。
【請求項２１】
前記採取防止構成要素はスペーサ基板を含む、請求項２０に記載のセキュリティラベル。
【請求項２２】
前記採取防止構成要素は、６０℃を超える温度に曝露された場合に熱崩壊する、請求項２０に記載のセキュリティラベル。
【請求項２３】
前記採取防止構成要素が、ポリエチレンテレフタレートグリコール（ＰＥＴＧ）、ポリエチレンテレフタレート（ＰＥＴＥ）またはポリ塩化ビニル（ＰＶＣ）のうちの少なくとも１つを含む、請求項２０に記載のセキュリティラベル。
【請求項２４】
前記セキュリティデバイスが前記採取防止温度以上の温度にさらされると、前記セキュリティラベルの熱崩壊が起こる採取防止構成要素を含む、請求項２０に記載のセキュリティラベル。
【請求項２５】
前記採取防止温度が約６０℃〜約９０℃である、請求項２０に記載のセキュリティラベル。
【請求項２６】
生成物基板と、
第１の結合によって製品基板に貼り付けられたセキュリティデバイスと、
を備えたセキュリティ文書であって、
前記セキュリティデバイスは、採取防止温度以上の温度にさらされると熱崩壊し、
採取防止温度は、第１の結合の採取温度よりも低い、
セキュリティ文書。
【請求項２７】
セキュリティデバイスを製造する方法であって、
画像アイコン要素のアレイを提供することと、
画像アイコン集束要素のアレイを提供することと、
採取防止温度以上の温度で熱分解崩壊する少なくとも１つの採取防止構成要素を提供することと、を含み、
前記画像アイコン要素のアレイおよび画像アイコン焦束要素のアレイは、少なくとも１つの合成画像を生成するように結合される、
セキュリティデバイスを製造する方法。
【請求項２８】
セキュリティラベルの製造方法であって、
画像アイコン要素のアレイと、画像アイコン集束要素のアレイとを備えるセキュリティデバイスであって、前記画像アイコン要素のアレイおよび前記画像アイコン集束要素のアレイはセキュリティデバイスが視角に沿って合成画像を投影するように互いに対して配置され、セキュリティデバイスは採取防止温度または採取防止温度を超える温度にさらされたときに熱減衰する、前記セキュリティデバイスを提供することと、
第１の結合によって、前記セキュリティデバイスをラベル基板に貼り付けることと、
を含み、
前記採取防止温度は、第１の結合の採取温度よりも低い、
セキュリティラベルの製造方法。
【請求項２９】
前記粒子が、銅、アルミニウム、真鍮、グラフェン、グラファイト、または銀のうちの少なくとも１つ以上を含む、請求項１３に記載のセキュリティデバイス。
【請求項３０】
前記粒子が、前記画像アイコン要素のアレイの下または上の断面積の１２％未満を占める、請求項１２に記載のセキュリティデバイス。
【請求項３１】
前記セキュリティデバイスは前記採取防止温度以上の温度にさらされると熱崩壊し、前記熱崩壊は、前記セキュリティデバイスの構造的破損、前記セキュリティデバイスによって投影される合成画像の外観の変化、前記セキュリティデバイスにおける気泡の外観、前記セキュリティデバイスにおける粗いパッチの外観、または前記セキュリティデバイスの非エラストマー収縮のうちの１つ以上を含む、請求項１に記載のセキュリティデバイス。
【請求項３２】
前記ラベル基板が、紙基板またはポリマー基板のうちの１つ以上を含む、請求項１９に記載のセキュリティラベル。
【国際調査報告】
2019531920.tif 000006
2019531920.tif 000007